(57)【要約】  【課題】  本発明の目的は、犬の顔や耳に温風を吹きかけず、犬が床面１０ｆに座ったり伏せたりした場合にも効率的に、また完全に犬を乾かすことを可能とした犬の乾燥機１を提供することにある。  さらに、施設の汚れを防止すると共に、犬同士の触れあいにより病気やばい菌などが移ることを防止した犬の複合施設７を提供することにある。  【解決手段】  複数の吹出口１２ａ、１２ｂを有する犬室１０と、空気室１３、犬が顔を外に出すための首穴１１ｆを有する扉１１と、ヒータ１７、送風機１６及びファン１４ａを有する排気ダクト１４などからなる犬の乾燥器１とする。  さらに、そのような犬の乾燥機１を有する犬の洗浄設備２、犬の洗浄設備２を単数又は複数並べた犬の洗浄施設３と、犬の運動施設４、犬の宿泊施設５、トリミング施設６とを有する犬の複合施設７とする。【選択図】              図１
2005304458.tif 000002
【特許請求の範囲】
【請求項１】
犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有することを特徴とする犬の乾燥機。
【請求項２】
請求項１に記載した犬の乾燥機において、犬室に犬を出入りさせるための扉を設け、前記扉に首穴を設けたことを特徴とする犬の乾燥機。
【請求項３】
請求項１又は請求項２のいずれかに記載した犬の乾燥機において、首穴の位置を上下方向に移動可能に設けたことを特徴とする犬の乾燥機。
【請求項４】
請求項１乃至請求項３のいずれかに記載した犬の乾燥機において、首穴と平行な断面において、犬室の下部が水平の床面と前記床面の両端で屈折して連なる２枚の下部傾斜面とを有するものとし、前記床面に吹出口を、２枚の前期下部傾斜面にそれぞれ吹出口等を取り付けたことを特徴とする犬の乾燥機。
【請求項５】
請求項１乃至請求項４のいずれかに記載した犬の乾燥機において、首穴を設けた面の内側近傍であって前記首穴を設けた面と平行な面内に、多数の吹出口等又は長細い吹出口等を設たことを特徴とする犬の乾燥機。
【請求項６】
請求項１乃至請求項５のいずれかに記載した犬の乾燥機において、犬室を概略８角形の断面形状を有するものとし、前記概略８角形の１面を床面とし前記床面の対辺を天井面として、前記天井面にファンを有する排気ダクトを取り付け、
さらに、前記天井面以外の面に吹出口等を設け、前記吹出口等を設けた面の外側に空気室を設け、前記空気室に温風を送風するようにしたことを特徴とする犬の乾燥機。
【請求項７】
請求項１乃至請求項６のいずれかに記載した犬の乾燥機において、犬室に殺菌灯を設けたことを特徴とする犬の乾燥機。
【請求項８】
犬の洗台とシャワーとを有する犬の洗場と、請求項１乃至請求項７のいずれかに記載した犬の乾燥機とを有する犬の洗浄設備。
【請求項９】
請求項８に記載した犬の洗浄設備を単数又は複数並べてなる犬の洗浄施設と、犬を運動させたり遊ばせる広場を有する犬の運動施設とからなる犬の複合施設。
【請求項１０】
請求項８に記載した犬の洗浄設備を単数又は複数並べてなる犬の洗浄施設と、犬を宿泊させる施設である犬の宿泊施設とを有する犬の複合施設。      
【請求項１１】
請求項８に記載した犬の洗浄設備を単数又は複数並べてなる犬の洗浄施設と、犬の毛を刈り込んで形よくする施設であるトリミング施設とを有する犬の複合施設。
【請求項１２】
請求項８に記載した犬の洗浄設備を単数又は複数並べてなる犬の洗浄施設と、犬の運動施設と、犬の宿泊施設とを有する犬の複合施設。
【請求項１３】
請求項８に記載した犬の洗浄設備を単数又は複数並べてなる犬の洗浄施設と、犬の運動施設と、犬の宿泊施設と、トリミング施設とを有する犬の複合施設。
【発明の詳細な説明】
【技術分野】
【０００１】
本発明は、犬を洗った後に濡れた犬を乾かすための犬の乾燥機、犬の乾燥機を有する犬の洗浄設備、及び、犬の洗浄設備を単数又は複数有する犬の洗浄施設を中心として、犬の運動施設や、犬の宿泊施設や、トリミング施設などを併設した犬の複合施設に関する。
【背景技術】
【０００２】
従来、犬を洗う場合、犬に水をかけて濡らした後に洗剤をかけ、人が手やブラシなどを使って毛を掻いたり梳いたりしながら洗い、その後にシャワーをかけて洗剤を流し、さらにドライヤーなどを使用して濡れた犬を乾かしていた。
かかる作業は、犬が大型の場合ほど、犬を洗う人間に重労働を課すもので、特に濡れた毛を乾かす手間と時間が過大であった。
また、洗浄室内に格納した犬に洗剤を吹き付けた後に、シャワーで水をかけて洗剤を流し、その後、温風により濡れた犬を乾燥させる犬用の洗浄・乾燥機があった。
しかしかかる犬用の洗浄・乾燥機は、犬の毛を掻いたり梳いたりしする作用がないため洗剤は毛の奥で泡立つことはなく、洗いが不十分となる問題を有していた。さらに、毛の間にしみ込んだ洗剤はシャワーで水をかけただけでは容易に流れないので、洗剤が毛の間に残る問題を有していた。
また、犬は顔や耳に温風を受けることを避け部屋の隅に逃げ込んでしまうため、温風により犬を乾かす効率が悪くエネルギーの消費が過大になる問題と、完全に犬を乾燥させることができない問題を有していた。
また、犬は瞬きをしないため、犬の顔に温風を吹き付けると目が乾燥してしまい、犬が目の病気を罹患し易すくなる問題があった。さらに、犬の鼻が乾燥すると鼻の中の粘膜や肺を乾燥させてしまい、犬が鼻や肺の病気を罹患し易すくなる問題も有していた。
また従来の方法では、犬の毛に付着したばい菌や虫などを十分取り除くことはできない問題を有していた。
また従来には、犬の洗浄施設と犬の運動施設を組合わせた犬の複合施設はなかった。また、犬の洗浄施設と犬の宿泊施設を組合わせた犬の複合施設もなかった。さらに、犬の洗浄施設と犬のトリミング施設を組合わせた犬の複合施設もなかった。
犬の運動施設、犬の宿泊施設及び犬のトリミング施設は、共に多数の犬が集まる施設であるが、これらの施設では、犬同士の接触により病気や虫などが移る問題や、施設自体が汚れやすく清潔な環境を保つことが困難となる問題を有していた。
【発明の開示】
【発明が解決しようとする課題】
【０００３】
本発明は、上記した従来技術の有する欠点を除くためになされたもので、その目的とするところは、効率的に犬を乾かすことを可能とした犬の乾燥機を提供することにより、犬を洗う人間の手間と作業時間の軽減をはかることにある。
また他の目的は、犬が部屋の隅に逃げ込んでしまうことを防止した犬の乾燥機であって、さらに、犬が床に座り込んだり床に伏せたりたりした場合にも、効率よく温風を犬に吹き付け、完全に犬を乾燥させることを可能とした犬の乾燥機を提供することにある。
また他の目的は、犬の顔や耳に温風のかかることを防止した犬の乾燥機とすることにより、犬が目の病気や鼻や肺の病気に罹患する危険性をなくした、犬の乾燥機を提供することにある。
さらに他の目的は、犬を洗浄しただけでは取り除くことのできない、犬の毛に付着したばい菌や虫を取り除くことを可能とした犬の乾燥機を提供することにある。
また他の目的は、犬の洗浄施設と犬の運動施設を組合わせた犬の複合施設、犬の洗浄施設と犬の宿泊施設を組合わせた犬の複合施設、犬の洗浄施設とトリミング施設を組合わせた犬の複合施設などを提供することにより、清潔な犬だけを犬の運動施設、犬の宿泊施設及び犬のトリミング施設に受け入れることを可能とした犬の複合施設を提供することにある。
【課題を解決するための手段】
【０００４】
本発明は、犬が顔を外に出した状態で犬の首、胴体、足及び尾に温風を吹き付けることを可能とした犬の乾燥機とすることにより、犬の顔や耳に温風をかけず、かつ、温風の吹き付けを最も効率的に受ける位置に、犬を静止させることを可能とした犬の乾燥機とする。また、殺菌灯を取り付けた犬の乾燥器とする。
そして、そのような犬の乾燥機を有する犬の洗浄設備、さらには、前記犬の洗浄設備を単数又は複数並べた犬の洗浄施設と犬の運動施設とを有する犬の複合施設、犬の洗浄施設と犬の宿泊施設とを有する犬の複合施設、犬の洗浄施設とトリミング施設とを有する犬の複合施設などとする。
【発明の効果】
【０００５】
本発明は上記のように、温風の吹き付けを最も効率的に受ける位置に犬を静止させることを可能とした犬の乾燥機としたので、犬の乾燥のための熱エネルギーの消費を軽減し、乾燥時間を短縮し、さらに完全に犬を乾燥させることを可能とした犬の乾燥機を提供することができた。
また、犬の顔に温風を吹き付けることのない構成としたので、犬の目や鼻が乾燥することはなく、犬が目や鼻や肺の病気を罹患する問題もなくなった。
また、殺菌灯を取り付けた発明により、犬を洗浄しただけでは除去できない、ばい菌や虫を十分取り除くことができた。
さらに、以上のような犬の洗浄設備を使用して洗浄した犬だけを犬の運動施設、犬の宿泊施設、犬のトリミング施設に受け入れることを可能としたので、これらの施設における犬同士の接触により病気や虫などが移る問題や、施設自体が汚れやすく清潔な環境を保てにくい問題をなくすことができた。
【発明を実施するための最良の形態】
【０００６】
請求項１の発明は、犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有する犬の乾燥機とする。
犬室には犬を出し入れする扉を設け、吹出口等は犬が首穴から外に顔を出した状態において、犬の首、胴、足及び尾の全体に対して温風を吹き付けるよう、また上方、側方、下方の全方向から温風を吹き付けるよう配置することが好ましい。
また、犬との距離が近い場合は単に吹出口を設ける構成が好ましく、犬との距離が遠い場合はノズルを設けて温風を噴出させ、遠くまで温風を送風させる構成が好ましい。
吹出口等に温風を送風する構成としては、送風機で大気を吸引し吸引した空気をヒータを通過させ加熱して吹出口等に送る構成と、予めヒータで温風にした空気を送風機で吸引して吹出口等に送る構成と、さらには予めヒータで温風にした空気をさらに他のヒータを通過させて吹出口等に送る構成とが考えられる。
ヒータとしては、電熱式のヒータ、ガスや固形燃料を燃焼させる燃焼ヒータ、温水ヒータ、ボイラーや炉などの廃熱を利用したヒータ、太陽熱を利用したヒータなど考えられ、とくにその構成についてこだわるものではない。
請求項２の発明は、請求項１に記載した犬の乾燥機において、犬室に犬を出入りさせるための扉を設け、前記扉に首穴を設けた犬の乾燥機とする。
特に、扉に首穴を設けることにより犬室の構成を単純なものとするとともに、扉の外に立つ飼い主に触れ合おうとする犬の習性を利用して、犬が自然に首穴から顔を出すようにし向けたものである。
請求項３の発明は、請求項１又は請求項２のいずれかに記載した犬の乾燥機において、首穴の位置を上下方向に移動可能に設けた犬の乾燥機とする。
犬室又は扉に長大な穴を明けておき、首穴を明けた首穴板を犬室又は扉に対してスライド可能に取り付ける構成としたり、首穴を明けた首穴板をスライド可能に蛇腹材を介して保持する構成などとすることが好ましい。
この場合、首穴板や蛇腹材を単にスライド可能にガイドして適宜固定具を取り付ける方法と、位置決め機構を有するスライドレールを介して首穴板を取り付ける方法など考えられ、具体的な方法についてこだわるものではない。
【０００７】
請求項４の発明は、請求項１乃至請求項３のいずれかに記載した犬の乾燥機において、首穴と平行な断面において、犬室の下部が水平の床面と前記床面の両端で屈折して連なる２枚の下部傾斜面とを有するものとし、前記床面に吹出口を、２枚の前期下部傾斜面にそれぞれ吹出口等を取り付けた犬の乾燥機とする。
床面は犬が４つ足で立ったり、床に伏せるためのスペースがあればよい。犬室の下部を床面と下部傾斜面とで構成したのは、犬を犬室の側面近くに近づかせず中央に居させることにより、温風を効率よく犬に吹き付けるようにしたものである。
床面に吹出口を取り付けたのは、犬が床面に座ったり伏せた場合に床面に接触した部位を乾燥させるためである。また、床面と犬との距離は比較的近いためノズルを取り付ける必要はないからである。
請求項５の発明は、請求項１乃至請求項４のいずれかに記載した犬の乾燥機において、首穴を設けた面の内側近傍であって前記首穴を設けた面と平行な面内に、多数の吹出口等又は複数の長細い吹出口等を設けた犬の乾燥機とする。
このように吹出口等を配置することにより犬の首に向かって温風を集中して吹き付けるようにしたものである。犬の首に向かって温風を集中して吹き付け、犬の首を乾かすだけでなく、首穴の内側にエアーカーテンを構成して、外気や内気が首穴を通って流入出することを可能な限り防ぐためである。
請求項６の発明は、請求項１乃至請求項５のいずれかに記載した犬の乾燥機において、犬室を概略８角形の断面形状を有するものとし、前記概略８角形の１面を床面とし前記床面の対辺を天井面として開口を設け、また前記天井面にファンを有する排気ダクトを取り付け、さらに前記天井面以外の面に吹出口等を設け、前記吹出口等を設けた面の外側に空気室を設け、前記空気室に温風を送風するようにした犬の乾燥機とする。
排気ダクトに取り付けたファンの機能は、犬室の中の空気を犬室外に排出して、犬室内の空気圧を大気圧と同程度に保ち、可能な限り首穴を通しての外気と内気の流入出を防止する機能を有するものが好ましい。
犬室を概略８角形の断面として、排気ダクトを取り付けた面以外の面にそれぞれ吹出口等を取り付けると、犬の全体に効率よく温風を吹き付けるよう吹出口等を配置することが可能となり、また単純で製作容易な構成の犬室とすることができるからである。
【０００８】
請求項７の発明は、請求項１乃至請求項６のいずれかに記載した犬の乾燥機において、犬室に殺菌灯を設けた犬の乾燥機とする。
殺菌灯を取り付けて犬に紫外線を照射することにより、犬に付着したばい菌や虫などを死滅させ、さらに、犬室の消臭効果も得ることができるからである。
請求項８に発明は、犬の洗台とシャワーとを有する犬の洗場と、請求項１乃至請求項７のいずれかに記載した犬の乾燥機とを有する犬の洗浄設備とする。
犬と飼い主がスキンシップを図りつつ確実な犬の洗浄を可能とし、濡れた犬を乾燥させる手間と時間を軽減させるため、犬の洗場と犬の乾燥機とを組み合わせた犬の洗浄設備としたものである。
犬の洗台は犬を載せて洗うためのものである。このため、洗剤や水を回収する機能を有するものとする。夏場は普通のシャワーでよいが、冬場は温水のシャワーとすることが好ましい、犬が風邪を引かないようにするためである。
請求項９の発明は、請求項８に記載した犬の洗浄設備を単数又は複数並べてなる犬の洗浄施設と、犬を運動させたり遊ばせる広場を有する犬の運動施設とからなる犬の複合施設とする。
犬の洗浄設備を使って洗浄した犬のみを受け入れ、犬の運動施設で犬を遊ばせたり運動させるようにして、犬の運動施設の汚れを防止すると共に、犬同士の触れあいにより病気やばい菌や虫などが移ることを防止するようにしたものである。
【０００９】
請求項１０の発明は、請求項８に記載した犬の洗浄設備を単数又は複数並べてなる犬の洗浄施設と、犬を宿泊させる施設である犬の宿泊施設とからなる犬の複合施設とする。
犬の洗浄設備を使って洗浄した犬のみを受け入れ、犬の宿泊施設の汚れを防止すると共に、宿泊させた犬同士の触れあいにより病気やばい菌や虫などが移ることを防止するようにしたものである。
請求項１１の発明は、請求項８に記載した犬の洗浄設備を単数又は複数並べてなる犬の洗浄施設と、犬の毛を刈り込んで形よくする施設であるトリミング施設とからなる犬の複合施設とする。
トリミング施設ではトリマーが犬を洗うが、トリマーが犬を洗うときに本発明にかかる洗浄設備を使用すると作業負担が小さく便利である。また、トリミング施設の汚れを防止すると共に、犬同士の触れあいにより病気やばい菌や虫などが移ることを防止することが可能となるからである。
請求項１２の発明は、請求項８に記載した犬の洗浄設備を単数又は複数並べてなる犬の洗浄施設と、犬の運動施設と、犬の宿泊施設とを有する犬の複合施設とする。
このように構成することにより、愛犬家が犬を連れてきて運動施設を利用すること、及び、犬の宿泊施設が受け入れた犬を運動させたり遊ばせたりすることが可能となる。
請求項１３の発明は、請求項８に記載した犬の洗浄設備を単数又は複数並べてなる犬の洗浄施設と、犬の運動施設と、犬の宿泊施設と、トリミング施設とを有する犬の複合施設とする。
このように構成することにより、犬と愛犬家が多目的に利用する犬の施設であって、常に犬の洗浄設備で洗浄した清潔な犬だけを受け入れることにより、飼い主が安心して利用することができる犬の多目的な施設とすることが可能となるからである。
【実施例１】
【００１０】
以下本発明の実施例１を図１〜図３に示し説明する。実施例１にかかる犬の乾燥機１は、複数の吹出口１２ａ、１２ｂを有する犬室１０と、首穴１１ｆを有する扉１１と、空気室１３と、送風機１６及びヒータ１７を有している。
犬室１０は、天井面１０ａ、床面１０ｆ及びそれぞれ２枚の上部傾斜面１０ｂ、側面１０ｃ、下部傾斜面１０ｇとからなる概略８角形の断面形状を有するものとした。そして、断面の一端を後面１０ｅとし他端を前面開口１０ｄとした。
そして、上部傾斜面１０ｂ、側面１０ｃ、下部傾斜面１０ｇ、床面１０ｆ及び裏面１０ｅのそれぞれに複数の吹出口１２ａ、１２ｂを設け、できる限り犬の体全体に温風を吹き付けるように配置した。このとき、前面開口１０ｄの内側近傍であって、前面開口１０ｄと平行な面内に複数の長細い吹出口１２ａを取り付けた。
また、上部傾斜面１０ｂ、側面１０ｃ、下部傾斜面１０ｇ、床面１０ｆ及び裏面１０ｅの外側を囲う空気室１３を設け、後面１０ｅの外側に設けたヒータ室１８と導通させた。そして、ヒータ室１８には電熱式のヒータ１７を取り付け、ヒータ室１８を拡大ダクト１６ｃを介して送風機１６の吹気口１６ｂに連結した。
また、空気室１３の前面１３ａに扉１１を設け、ヒンジ１１ｂと締め具１１ｃを使用して空気室の前面１３ａに対して扉１１を開閉可能に取り付けた。扉１１には穴が明けてあり、位置決め機構を有する２本のスライドレール１１ｄを介して、首穴１１ｆを有する首穴板１１ｅを取り付け、首穴１１ｆの部分を除いて扉１１の穴を塞いだ。
また、犬室１０の天井面１０ａに開口１０ｈ設け、天井面１０ａの上に排気ダクト１４を取り付け、排気ダクト１４の排気口１４ｂ付近にはファン１４ａを取り付けた。さらに、犬室１０の天井面１０ａ付近に紫外線を発生する殺菌灯１５を取り付けた。
【００１１】
実施例１は上記のように構成したが、以下その作用について説明する。犬の飼い主やトリマーなど犬の乾燥機１の使用者は、扉１１を開いて犬室１０の中に犬を入れ、首穴１１ｆの高さを犬に合わせて首穴板１１ｅを位置決めして、扉１１を閉じた後に犬に声掛けをすると犬は首穴１１ｆから顔を出す。
犬が首穴１１ｆから顔を出した状態で、送風機１６とファン１４ａを稼働させ、ヒータ１７を加熱させ、殺菌灯１５を点灯すると、送風機１６の吸気口１６ａから吸い込まれた空気は、吹気口１６ｂと拡大ダクト１６ｃを通ってヒータ室１８に入り、ヒータ１７によって加熱され温風となって空気室１３に流れ、吹出口１２ａ、１２ｂから犬に向かって吹き出す。  
前面開口１０ｄ内側近傍には複数の細長い吹出口１２ａを取り付けてあるので、犬室１０に格納した犬の首に向かって温風を集中して吹き付け、犬の首を乾燥させるだけでなく、首穴１１ｆの内側にエアーカーテンを構成して、外気や内気が首穴１１ｆを通って流入出することを可能な限り防ぐことができる。
犬を乾燥させた後の空気は、天井面１０ａの開口１０ｈを通過して排気ダクト１４に入り、ファン１４ａに吸引されて排気口１４ｂから排出する。ファン１４ａを取り付けたことにより、犬室１０内の空気の圧力を大気圧に近い圧力に維持することが可能となり、首穴１１ｆを通って外気や内気が流入出することを、可能な限り防止することができる。
犬を乾燥させている間に殺菌灯１５から発生した紫外線が、犬に付着したばい菌や虫などを死滅させ、さらに、犬室１０を消臭する効果も得ることができる。
【実施例２】
【００１２】
以下本発明の実施例２を図４に示し説明する。実施例２にかかる犬の複合施設７は、犬の洗台８ａとシャワー８ｂとで犬の洗場８を構成し、さらに犬の洗場８と犬の乾燥機１とで犬の洗浄設備２を構成した。
そして、４式の犬の洗浄設備２を有する犬の洗浄施設３と、犬の洗浄施設３の上に設けた犬の運動施設４と、犬の洗浄施設３の隣に設けたトリミング施設６と、トリミング施設６の上に設けた犬の宿泊施設５とからなる犬の複合施設７とした。
そして、犬の洗浄設備２を使って洗浄した犬のみを受け入れ、犬の運動施設４で犬を遊ばせたり運動させるようにし、また、犬の宿泊施設５やトリミング施設６を利用させる。
このようにすることにより、犬の運動施設４や犬の宿泊施設５やトリミング施設６の汚れを防止すると共に、犬同士の触れあいにより病気や、ばい菌や、虫などが移ることを防止することが可能となった。
以上のように、犬と愛犬家が多目的に利用する犬の複合施設７であって、常に犬の洗浄設備２で洗浄した清潔な犬だけを受け入れる施設として、飼い主が安心して利用することができる犬の複合施設７を提供することが可能となった。
【産業上の利用可能性】
【００１３】
本発明は、犬の乾燥機や洗浄設備を製造販売する産業や、犬の洗浄施設や犬の運動場や犬の宿泊施設及びトリミング施設を建設する産業に利用され、さらに犬の洗浄施設の提供や犬の運動施設の提供や犬の宿泊施設の提供及びトリミングなどのサービスを提供する用途に適用できる。
【図面の簡単な説明】
【００１４】
【図１】前方から見た犬の乾燥機の１部を破断した斜視図である。
【図２】右側面から見た犬の乾燥機の後部の１部を破断した部分側面図である。
【図３】前方から見た犬室の１部を破断した斜視図である。
【図４】犬の複合施設の斜視図である。
【符号の説明】
【００１５】
１  ：犬の乾燥機            ２  ：犬の洗浄設備          ３  ：犬の洗浄施設
４  ：犬の運動施設          ５  ：犬の宿泊施設          ６  ：トリミング施設
７  ：犬の複合施設          ８  ：犬の洗場              ８ａ：犬の洗台
８ｂ：シャワー            １０  ：犬室                １０ａ：天井面
１０ｂ：上部傾斜面          １０ｃ：側面                １０ｄ：前面開口
１０ｅ：後面                １０ｆ：床面                １０ｇ：下部傾斜面
１０ｈ：開口                １１  ：扉                  １１ｂ：ヒンジ
１１ｃ：締め具              １１ｄ：スライドレール      １１ｅ：首穴板
１１ｆ：首穴                １２ａ：吹出口              １２ｂ：吹出口
１３  ：空気室              １３ａ：空気室の前面        １４  ：排気ダクト
１４ａ：ファン              １４ｂ：排気口              １５  ：殺菌灯
１６  ：送風機              １６ａ：吸気口              １６ｂ：吹気口
１６ｃ：拡大ダクト          １７  ：ヒータ              １８  ：ヒータ室
【図１】
2005304458.tif 000003
【図２】
2005304458.tif 000004
【図３】
2005304458.tif 000005
【図４】
2005304458.tif 000006
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有することを特徴とする犬の乾燥機、
又は、前記犬の乾燥機において、前記犬室に犬を出入りさせるための扉を設け、前記扉に前記首穴を設けたことを特徴とする犬の乾燥機、
前記したいずれかの犬の乾燥機において、前記首穴の位置を上下方向に移動可能に設けたことを特徴とする犬の乾燥機。
【請求項２】
請求項１に記載した犬の乾燥機において、首穴と平行な断面において、犬室の下部が水平の床面と前記床面の両端で屈折して連なる２枚の下部傾斜面とを有するものとし、前記床面に吹出口を、２枚の前期下部傾斜面にそれぞれ吹出口等を取り付けたことを特徴とする犬の乾燥機。
【請求項３】
請求項１又は請求項２のいずれかに記載した犬の乾燥機において、首穴を設けた面の内側近傍であって前記首穴を設けた面と平行な面内に、多数の吹出口等又は長細い吹出口等を設たことを特徴とする犬の乾燥機。
【請求項４】
請求項１乃至請求項３のいずれかに記載した犬の乾燥機において、犬室を概略８角形の断面形状を有するものとし、前記概略８角形の１面を床面とし前記床面の対辺を天井面として、前記天井面にファンを有する排気ダクトを取り付け、
さらに、前記天井面以外の面に吹出口等を設け、前記吹出口等を設けた面の外側に空気室を設け、前記空気室に温風を送風するようにしたことを特徴とする犬の乾燥機。
【請求項５】
請求項１乃至請求項４のいずれかに記載した犬の乾燥機において、犬室に殺菌灯を設けたことを特徴とする犬の乾燥機。
【請求項６】
犬の洗台とシャワーとを有する犬の洗場と、請求項１乃至請求項５のいずれかに記載した犬の乾燥機とを有する犬の洗浄設備。
【請求項７】
請求項６に記載した犬の洗浄設備を単数又は複数並べてなる犬の洗浄施設と、犬を運動させたり遊ばせる広場を有する犬の運動施設とからなる犬の複合施設。
【請求項８】
請求項６に記載した犬の洗浄設備を単数又は複数並べてなる犬の洗浄施設と、犬を宿泊させる施設である犬の宿泊施設とを有する犬の複合施設。      
【請求項９】
請求項６に記載した犬の洗浄設備を単数又は複数並べてなる犬の洗浄施設と、犬の毛を刈り込んで形よくする施設であるトリミング施設とを有する犬の複合施設。
【請求項１０】
請求項６に記載した犬の洗浄設備を単数又は複数並べてなる犬の洗浄施設と、犬の運動施設と、犬の宿泊施設とを有する犬の複合施設。
【請求項１１】
請求項６に記載した犬の洗浄設備を単数又は複数並べてなる犬の洗浄施設と、犬の運動施設と、犬の宿泊施設と、トリミング施設とを有する犬の複合施設。
【手続補正２】
【補正対象書類名】明細書
【補正対象項目名】全文
【補正方法】変更
【補正の内容】
【発明の詳細な説明】
【技術分野】
【０００１】
本発明は、犬を洗った後に濡れた犬を乾かすための犬の乾燥機、犬の乾燥機を有する犬の洗浄設備、及び、犬の洗浄設備を単数又は複数有する犬の洗浄施設を中心として、犬の運動施設や、犬の宿泊施設や、トリミング施設などを併設した犬の複合施設に関する。
【背景技術】
【０００２】
従来、犬を洗う場合、犬に水をかけて濡らした後に洗剤をかけ、人が手やブラシなどを使って毛を掻いたり梳いたりしながら洗い、その後にシャワーをかけて洗剤を流し、さらにドライヤーなどを使用して濡れた犬を乾かしていた。
かかる作業は、犬が大型の場合ほど、犬を洗う人間に重労働を課すもので、特に濡れた毛を乾かす手間と時間が過大であった。
また、洗浄室内に格納した犬に洗剤を吹き付けた後に、シャワーで水をかけて洗剤を流し、その後、温風により濡れた犬を乾燥させる犬用の洗浄・乾燥機があった。
しかしかかる犬用の洗浄・乾燥機は、犬の毛を掻いたり梳いたりしする作用がないため洗剤は毛の奥で泡立つことはなく、洗いが不十分となる問題を有していた。さらに、毛の間にしみ込んだ洗剤はシャワーで水をかけただけでは容易に流れないので、洗剤が毛の間に残る問題を有していた。
また、犬は顔や耳に温風を受けることを避け部屋の隅に逃げ込んでしまうため、温風により犬を乾かす効率が悪くエネルギーの消費が過大になる問題と、完全に犬を乾燥させることができない問題を有していた。
また、犬は瞬きをしないため、犬の顔に温風を吹き付けると目が乾燥してしまい、犬が目の病気を罹患し易すくなる問題があった。さらに、犬の鼻が乾燥すると鼻の中の粘膜や肺を乾燥させてしまい、犬が鼻や肺の病気を罹患し易すくなる問題も有していた。
また従来の方法では、犬の毛に付着したばい菌や虫などを十分取り除くことはできない問題を有していた。
また従来には、犬の洗浄施設と犬の運動施設を組合わせた犬の複合施設はなかった。また、犬の洗浄施設と犬の宿泊施設を組合わせた犬の複合施設もなかった。さらに、犬の洗浄施設と犬のトリミング施設を組合わせた犬の複合施設もなかった。
犬の運動施設、犬の宿泊施設及び犬のトリミング施設は、共に多数の犬が集まる施設であるが、これらの施設では、犬同士の接触により病気や虫などが移る問題や、施設自体が汚れやすく清潔な環境を保つことが困難となる問題を有していた。
【発明の開示】
【発明が解決しようとする課題】
【０００３】
本発明は、上記した従来技術の有する欠点を除くためになされたもので、その目的とするところは、効率的に犬を乾かすことを可能とした犬の乾燥機を提供することにより、犬を洗う人間の手間と作業時間の軽減をはかることにある。
また他の目的は、犬が部屋の隅に逃げ込んでしまうことを防止した犬の乾燥機であって、さらに、犬が床に座り込んだり床に伏せたりたりした場合にも、効率よく温風を犬に吹き付け、完全に犬を乾燥させることを可能とした犬の乾燥機を提供することにある。
また他の目的は、犬の顔や耳に温風のかかることを防止した犬の乾燥機とすることにより、犬が目の病気や鼻や肺の病気に罹患する危険性をなくした、犬の乾燥機を提供することにある。
さらに他の目的は、犬を洗浄しただけでは取り除くことのできない、犬の毛に付着したばい菌や虫を取り除くことを可能とした犬の乾燥機を提供することにある。
また他の目的は、犬の洗浄施設と犬の運動施設を組合わせた犬の複合施設、犬の洗浄施設と犬の宿泊施設を組合わせた犬の複合施設、犬の洗浄施設とトリミング施設を組合わせた犬の複合施設などを提供することにより、清潔な犬だけを犬の運動施設、犬の宿泊施設及び犬のトリミング施設に受け入れることを可能とした犬の複合施設を提供することにある。
【課題を解決するための手段】
【０００４】
本発明は、犬が顔を外に出した状態で犬の首、胴体、足及び尾に温風を吹き付けることを可能とした犬の乾燥機とすることにより、犬の顔や耳に温風をかけず、かつ、温風の吹き付けを最も効率的に受ける位置に、犬を静止させることを可能とした犬の乾燥機とする。また、殺菌灯を取り付けた犬の乾燥器とする。
そして、そのような犬の乾燥機を有する犬の洗浄設備、さらには、前記犬の洗浄設備を単数又は複数並べた犬の洗浄施設と犬の運動施設とを有する犬の複合施設、犬の洗浄施設と犬の宿泊施設とを有する犬の複合施設、犬の洗浄施設とトリミング施設とを有する犬の複合施設などとする。
【発明の効果】
【０００５】
本発明は上記のように、温風の吹き付けを最も効率的に受ける位置に犬を静止させることを可能とした犬の乾燥機としたので、犬の乾燥のための熱エネルギーの消費を軽減し、乾燥時間を短縮し、さらに完全に犬を乾燥させることを可能とした犬の乾燥機を提供することができた。
また、犬の顔に温風を吹き付けることのない構成としたので、犬の目や鼻が乾燥することはなく、犬が目や鼻や肺の病気を罹患する問題もなくなった。
また、殺菌灯を取り付けた発明により、犬を洗浄しただけでは除去できない、ばい菌や虫を十分取り除くことができた。
さらに、以上のような犬の洗浄設備を使用して洗浄した犬だけを犬の運動施設、犬の宿泊施設、犬のトリミング施設に受け入れることを可能としたので、これらの施設における犬同士の接触により病気や虫などが移る問題や、施設自体が汚れやすく清潔な環境を保てにくい問題をなくすことができた。
【発明を実施するための最良の形態】
【０００６】
請求項１の発明は、犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有する犬の乾燥機とする。
犬室には犬を出し入れする扉を設け、吹出口等は犬が首穴から外に顔を出した状態において、犬の首、胴、足及び尾の全体に対して温風を吹き付けるよう、また上方、側方、下方の全方向から温風を吹き付けるよう配置することが好ましい。
また、犬との距離が近い場合は単に吹出口を設ける構成が好ましく、犬との距離が遠い場合はノズルを設けて温風を噴出させ、遠くまで温風を送風させる構成が好ましい。
吹出口等に温風を送風する構成としては、送風機で大気を吸引し吸引した空気をヒータを通過させ加熱して吹出口等に送る構成と、予めヒータで温風にした空気を送風機で吸引して吹出口等に送る構成と、さらには予めヒータで温風にした空気をさらに他のヒータを通過させて吹出口等に送る構成とが考えられる。
ヒータとしては、電熱式のヒータ、ガスや固形燃料を燃焼させる燃焼ヒータ、温水ヒータ、ボイラーや炉などの廃熱を利用したヒータ、太陽熱を利用したヒータなど考えられ、とくにその構成についてこだわるものではない。
さらに、前記した犬の乾燥機において、前記犬室に犬を出入りさせるための扉を設け、前記扉に前記首穴を設けた犬の乾燥機とすることが好ましい。
扉に首穴を設けることにより犬室の構成を単純なものとするとともに、扉の外に立つ飼い主に触れ合おうとする犬の習性を利用して、犬が自然に首穴から顔を出すようにし向けたものである。
そして、前記首穴の位置を上下方向に移動可能に設けた犬の乾燥機とする。このため、犬室又は扉に長大な穴を明けておき、首穴を明けた首穴板を犬室又は扉に対してスライド可能に取り付ける構成としたり、首穴を明けた首穴板をスライド可能に蛇腹材を介して保持する構成などとすることが好ましい。
この場合、首穴板や蛇腹材を単にスライド可能にガイドして適宜固定具を取り付ける方法と、位置決め機構を有するスライドレールを介して首穴板を取り付ける方法など考えられ、具体的な方法についてこだわるものではない。
【０００７】
請求項２の発明は、請求項１に記載した犬の乾燥機において、首穴と平行な断面において、犬室の下部が水平の床面と前記床面の両端で屈折して連なる２枚の下部傾斜面とを有するものとし、前記床面に吹出口を、２枚の前期下部傾斜面にそれぞれ吹出口等を取り付けた犬の乾燥機とする。
床面は犬が４つ足で立ったり、床に伏せるためのスペースがあればよい。犬室の下部を床面と下部傾斜面とで構成したのは、犬を犬室の側面近くに近づかせず中央に居させることにより、温風を効率よく犬に吹き付けるようにしたものである。
床面に吹出口を取り付けたのは、犬が床面に座ったり伏せた場合に床面に接触した部位を乾燥させるためである。また、床面と犬との距離は比較的近いためノズルを取り付ける必要はないからである。
請求項３の発明は、請求項１又は請求項２のいずれかに記載した犬の乾燥機において、首穴を設けた面の内側近傍であって前記首穴を設けた面と平行な面内に、多数の吹出口等又は複数の長細い吹出口等を設けた犬の乾燥機とする。
このように吹出口等を配置することにより犬の首に向かって温風を集中して吹き付けるようにしたものである。犬の首に向かって温風を集中して吹き付け、犬の首を乾かすだけでなく、首穴の内側にエアーカーテンを構成して、外気や内気が首穴を通って流入出することを可能な限り防ぐためである。
請求項４の発明は、請求項１乃至請求項３のいずれかに記載した犬の乾燥機において、犬室を概略８角形の断面形状を有するものとし、前記概略８角形の１面を床面とし前記床面の対辺を天井面として開口を設け、また前記天井面にファンを有する排気ダクトを取り付け、さらに前記天井面以外の面に吹出口等を設け、前記吹出口等を設けた面の外側に空気室を設け、前記空気室に温風を送風するようにした犬の乾燥機とする。
排気ダクトに取り付けたファンの機能は、犬室の中の空気を犬室外に排出して、犬室内の空気圧を大気圧と同程度に保ち、可能な限り首穴を通しての外気と内気の流入出を防止する機能を有するものが好ましい。
犬室を概略８角形の断面として、排気ダクトを取り付けた面以外の面にそれぞれ吹出口等を取り付けると、犬の全体に効率よく温風を吹き付けるよう吹出口等を配置することが可能となり、また単純で製作容易な構成の犬室とすることができるからである。
【０００８】
請求項５の発明は、請求項１乃至請求項４のいずれかに記載した犬の乾燥機において、犬室に殺菌灯を設けた犬の乾燥機とする。
殺菌灯を取り付けて犬に紫外線を照射することにより、犬に付着したばい菌や虫などを死滅させ、さらに、犬室の消臭効果も得ることができるからである。
請求項６に発明は、犬の洗台とシャワーとを有する犬の洗場と、請求項１乃至請求項５のいずれかに記載した犬の乾燥機とを有する犬の洗浄設備とする。
犬と飼い主がスキンシップを図りつつ確実な犬の洗浄を可能とし、濡れた犬を乾燥させる手間と時間を軽減させるため、犬の洗場と犬の乾燥機とを組み合わせた犬の洗浄設備としたものである。
犬の洗台は犬を載せて洗うためのものである。このため、洗剤や水を回収する機能を有するものとする。夏場は普通のシャワーでよいが、冬場は温水のシャワーとすることが好ましい、犬が風邪を引かないようにするためである。
請求項７の発明は、請求項６に記載した犬の洗浄設備を単数又は複数並べてなる犬の洗浄施設と、犬を運動させたり遊ばせる広場を有する犬の運動施設とからなる犬の複合施設とする。
犬の洗浄設備を使って洗浄した犬のみを受け入れ、犬の運動施設で犬を遊ばせたり運動させるようにして、犬の運動施設の汚れを防止すると共に、犬同士の触れあいにより病気やばい菌や虫などが移ることを防止するようにしたものである。
【０００９】
請求項８の発明は、請求項６に記載した犬の洗浄設備を単数又は複数並べてなる犬の洗浄施設と、犬を宿泊させる施設である犬の宿泊施設とからなる犬の複合施設とする。
犬の洗浄設備を使って洗浄した犬のみを受け入れ、犬の宿泊施設の汚れを防止すると共に、宿泊させた犬同士の触れあいにより病気やばい菌や虫などが移ることを防止するようにしたものである。
請求項９の発明は、請求項６に記載した犬の洗浄設備を単数又は複数並べてなる犬の洗浄施設と、犬の毛を刈り込んで形よくする施設であるトリミング施設とからなる犬の複合施設とする。
トリミング施設ではトリマーが犬を洗うが、トリマーが犬を洗うときに本発明にかかる洗浄設備を使用すると作業負担が小さく便利である。また、トリミング施設の汚れを防止すると共に、犬同士の触れあいにより病気やばい菌や虫などが移ることを防止することが可能となるからである。
請求項１０の発明は、請求項６に記載した犬の洗浄設備を単数又は複数並べてなる犬の洗浄施設と、犬の運動施設と、犬の宿泊施設とを有する犬の複合施設とする。
このように構成することにより、愛犬家が犬を連れてきて運動施設を利用すること、及び、犬の宿泊施設が受け入れた犬を運動させたり遊ばせたりすることが可能となる。
請求項１１の発明は、請求項６に記載した犬の洗浄設備を単数又は複数並べてなる犬の洗浄施設と、犬の運動施設と、犬の宿泊施設と、トリミング施設とを有する犬の複合施設とする。
このように構成することにより、犬と愛犬家が多目的に利用する犬の施設であって、常に犬の洗浄設備で洗浄した清潔な犬だけを受け入れることにより、飼い主が安心して利用することができる犬の多目的な施設とすることが可能となるからである。
【実施例１】
【００１０】
以下本発明の実施例１を図１〜図３に示し説明する。実施例１にかかる犬の乾燥機１は、複数の吹出口１２ａ、１２ｂを有する犬室１０と、首穴１１ｆを有する扉１１と、空気室１３と、送風機１６及びヒータ１７を有している。
犬室１０は、天井面１０ａ、床面１０ｆ及びそれぞれ２枚の上部傾斜面１０ｂ、側面１０ｃ、下部傾斜面１０ｇとからなる概略８角形の断面形状を有するものとした。そして、断面の一端を後面１０ｅとし他端を前面開口１０ｄとした。
そして、上部傾斜面１０ｂ、側面１０ｃ、下部傾斜面１０ｇ、床面１０ｆ及び裏面１０ｅのそれぞれに複数の吹出口１２ａ、１２ｂを設け、できる限り犬の体全体に温風を吹き付けるように配置した。このとき、前面開口１０ｄの内側近傍であって、前面開口１０ｄと平行な面内に複数の長細い吹出口１２ａを取り付けた。
また、上部傾斜面１０ｂ、側面１０ｃ、下部傾斜面１０ｇ、床面１０ｆ及び裏面１０ｅの外側を囲う空気室１３を設け、後面１０ｅの外側に設けたヒータ室１８と導通させた。そして、ヒータ室１８には電熱式のヒータ１７を取り付け、ヒータ室１８を拡大ダクト１６ｃを介して送風機１６の吹気口１６ｂに連結した。
また、空気室１３の前面１３ａに扉１１を設け、ヒンジ１１ｂと締め具１１ｃを使用して空気室の前面１３ａに対して扉１１を開閉可能に取り付けた。扉１１には穴が明けてあり、位置決め機構を有する２本のスライドレール１１ｄを介して、首穴１１ｆを有する首穴板１１ｅを取り付け、首穴１１ｆの部分を除いて扉１１の穴を塞いだ。
また、犬室１０の天井面１０ａに開口１０ｈ設け、天井面１０ａの上に排気ダクト１４を取り付け、排気ダクト１４の排気口１４ｂ付近にはファン１４ａを取り付けた。さらに、犬室１０の天井面１０ａ付近に紫外線を発生する殺菌灯１５を取り付けた。
【００１１】
実施例１は上記のように構成したが、以下その作用について説明する。犬の飼い主やトリマーなど犬の乾燥機１の使用者は、扉１１を開いて犬室１０の中に犬を入れ、首穴１１ｆの高さを犬に合わせて首穴板１１ｅを位置決めして、扉１１を閉じた後に犬に声掛けをすると犬は首穴１１ｆから顔を出す。
犬が首穴１１ｆから顔を出した状態で、送風機１６とファン１４ａを稼働させ、ヒータ１７を加熱させ、殺菌灯１５を点灯すると、送風機１６の吸気口１６ａから吸い込まれた空気は、吹気口１６ｂと拡大ダクト１６ｃを通ってヒータ室１８に入り、ヒータ１７によって加熱され温風となって空気室１３に流れ、吹出口１２ａ、１２ｂから犬に向かって吹き出す。  
前面開口１０ｄ内側近傍には複数の細長い吹出口１２ａを取り付けてあるので、犬室１０に格納した犬の首に向かって温風を集中して吹き付け、犬の首を乾燥させるだけでなく、首穴１１ｆの内側にエアーカーテンを構成して、外気や内気が首穴１１ｆを通って流入出することを可能な限り防ぐことができる。
犬を乾燥させた後の空気は、天井面１０ａの開口１０ｈを通過して排気ダクト１４に入り、ファン１４ａに吸引されて排気口１４ｂから排出する。ファン１４ａを取り付けたことにより、犬室１０内の空気の圧力を大気圧に近い圧力に維持することが可能となり、首穴１１ｆを通って外気や内気が流入出することを、可能な限り防止することができる。
犬を乾燥させている間に殺菌灯１５から発生した紫外線が、犬に付着したばい菌や虫などを死滅させ、さらに、犬室１０を消臭する効果も得ることができる。
【実施例２】
【００１２】
以下本発明の実施例２を図４に示し説明する。実施例２にかかる犬の複合施設７は、犬の洗台８ａとシャワー８ｂとで犬の洗場８を構成し、さらに犬の洗場８と犬の乾燥機１とで犬の洗浄設備２を構成した。
そして、４式の犬の洗浄設備２を有する犬の洗浄施設３と、犬の洗浄施設３の上に設けた犬の運動施設４と、犬の洗浄施設３の隣に設けたトリミング施設６と、トリミング施設６の上に設けた犬の宿泊施設５とからなる犬の複合施設７とした。
そして、犬の洗浄設備２を使って洗浄した犬のみを受け入れ、犬の運動施設４で犬を遊ばせたり運動させるようにし、また、犬の宿泊施設５やトリミング施設６を利用させる。
このようにすることにより、犬の運動施設４や犬の宿泊施設５やトリミング施設６の汚れを防止すると共に、犬同士の触れあいにより病気や、ばい菌や、虫などが移ることを防止することが可能となった。
以上のように、犬と愛犬家が多目的に利用する犬の複合施設７であって、常に犬の洗浄設備２で洗浄した清潔な犬だけを受け入れる施設として、飼い主が安心して利用することができる犬の複合施設７を提供することが可能となった。
【産業上の利用可能性】
【００１３】
本発明は、犬の乾燥機や洗浄設備を製造販売する産業や、犬の洗浄施設や犬の運動場や犬の宿泊施設及びトリミング施設を建設する産業に利用され、さらに犬の洗浄施設の提供や犬の運動施設の提供や犬の宿泊施設の提供及びトリミングなどのサービスを提供する用途に適用できる。
【図面の簡単な説明】
【００１４】
【図１】前方から見た犬の乾燥機の１部を破断した斜視図である。
【図２】右側面から見た犬の乾燥機の後部の１部を破断した部分側面図である。
【図３】前方から見た犬室の１部を破断した斜視図である。
【図４】犬の複合施設の斜視図である。
【符号の説明】
【００１５】
１  ：犬の乾燥機            ２  ：犬の洗浄設備          ３  ：犬の洗浄施設
４  ：犬の運動施設          ５  ：犬の宿泊施設          ６  ：トリミング施設
７  ：犬の複合施設          ８  ：犬の洗場              ８ａ：犬の洗台
８ｂ：シャワー            １０  ：犬室                １０ａ：天井面
１０ｂ：上部傾斜面          １０ｃ：側面                １０ｄ：前面開口
１０ｅ：後面                １０ｆ：床面                １０ｇ：下部傾斜面
１０ｈ：開口                １１  ：扉                  １１ｂ：ヒンジ
１１ｃ：締め具              １１ｄ：スライドレール      １１ｅ：首穴板
１１ｆ：首穴                １２ａ：吹出口              １２ｂ：吹出口
１３  ：空気室              １３ａ：空気室の前面        １４  ：排気ダクト
１４ａ：ファン              １４ｂ：排気口              １５  ：殺菌灯
１６  ：送風機              １６ａ：吸気口              １６ｂ：吹気口
１６ｃ：拡大ダクト          １７  ：ヒータ              １８  ：ヒータ室